(57)【特許請求の範囲】
【請求項１】
少なくともカメラ本体と、該カメラ本体に対しヒンジ部を介して開閉および回転自在に取り付けられた表示部と、再生またはリプレー用の操作スイッチ群とを備えた撮像装置であって、
前記表示部は、その中央部を通る中心線よりも若干上方に偏らせた位置に回転中心線が設けられ、
前記ヒンジ部は、表示部の前記回転中心線上に設けられ、
前記操作スイッチ群は、前記表示部を前記カメラ本体に納めた状態のときに、前記表示部で隠される範囲または前記表示部の収納領域の下方位置に設けられ、
前記表示部を反転させて納めたときに、前記操作スイッチ群が露出して操作可能になる構成にした
ことを特徴とする撮像装置。
【発明の詳細な説明】
【０００１】
【発明の属する技術分野】
本発明は、例えば、開閉および回転自在なヒンジ部によりカメラ本体から展開できる液晶表示パネルを備えたビデオカメラまたはデジタルカメラ等の撮像装置に関するものである。
【０００２】
【従来の技術】
この種の撮像装置としては、例えば、図７〜８に示した構成のビデオカメラが公知になっている。この公知のビデオカメラは、カメラ本体１に対して液晶表示パネル２がヒンジ部３を介して開閉および回転自在に取り付けられている。この場合に、液晶表示パネル２の開閉角度はほぼ９０゜であり、ヒンジ部３に対する回転中心は、液晶表示パネル２の中央部を通る中心線Ｘと一致する位置に設けられており、その回転角度はほぼ２７０゜である。
【０００３】
また、カメラ本体１のほぼ中央部近傍（中心線Ｘとほぼ一致する位置）には、レンズ筒４、ビューファインダー５及び再生またはリプレー用の巻き戻し、早送り、ストップスイッチ等の操作スイッチ群６等の必要な種々の機能が装備されている。なお、図示していないが、反対側の側面上部近傍には、電源スイッチ、撮影のためのオン・オフスイッチ、ズームスイッチ等の操作ボタン群が設けられている。
【０００４】
液晶表示パネル２は、カメラ本体１のレンズで捕らえた映像または画像、即ちビューファインダー５で見える画像をそのまま表示できるものであり、撮影中及び撮影後の画像も適宜表示できるものである。その表示に際しては、ヒンジ部３を支点として液晶表示パネル２をカメラ本体１から、ほぼ直角な状態まで開き、カメラ本体１の後端側からその映像を見ることができるし、また、ヒンジ部３を中心にしてほぼ２７０゜回転させることができるので、その回転の角度範囲においていずれの位置においても液晶表示パネル２に表示された画像を見ることができる。
【０００５】
このように液晶表示パネル２を開いた状態で画像を見ることができるようになっているが、リプレー用の操作スイッチ群６は、通常の撮像操作の際には使用しないもので、リプレーの際に使用するものであるため、液晶表示パネル２を開いた状態のときに操作できれば良いので、液晶表示パネル２の表示面側を内側にしてカメラ本体１側に納めた状態のときに、全面的に隠れる位置のカメラ本体１に設けられている。
【０００６】
そして、撮像した画像を複数の人が見たい場合に、図８に示したように、表示面側を外側にして液晶表示パネル２を閉めるようにすることにより、表示面２ａがカメラ本体１の側面に位置し、カメラ本体１を例えばテーブル上に据え置いた状態で、表示面２ａに映し出された画像を広い角度から多数の人が見ることができるようになるのである。
【０００７】
【発明が解決しようとする課題】
しかしながら、リプレー用の操作スイッチ群６が液晶パネル２の背面側に隠れてしまっているので、例えば、部分的に巻き戻して見たいとか、或いは早送りをして見たいときなどに、一々液晶表示パネル２を開き操作スイッチ群６を適宜選択的に操作して再度カメラ本体１側に納めなければならず、その操作が極めて厄介であるという問題点を有している。
【０００８】
また、操作スイッチ群６の操作の際に、液晶表示パネル２を開いた状態で操作しなければならないことから、操作スイッチ群６の向いている方向と液晶表示パネル２の表示面２ａの向く方向とが９０゜異なった方向になるため、据え置いた状態で操作する場合は、操作者は上体を左右に大きく振って操作スイッチ群６と表示面２ａとを交互に見ながら操作しなければならなず、それを避けるためには必然的にカメラ本体１を手にとって、カメラ本体１を交互に回転させながら操作するようになり、周りで興味を持って見ている人はどこまで戻したかまたは早送りをしたかが全く解らず不安になったりして、楽しみが半減するという問題点も有している。
【０００９】
従って、従来の撮像装置においては、液晶表示パネル２の表示面２ａを表側にして、つまり、反転させてカメラ本体１側に納めた場合でも、また、カメラ本体１を据え置き状態のままでも、操作スイッチ群６を簡単に操作できるようにすることに解決課題を有している。
【００１０】
【課題を解決するための手段】
前記従来例の課題を解決する具体的手段として本発明は、少なくともカメラ本体と、該カメラ本体に対しヒンジ部を介して開閉および回転自在に取り付けられた表示部と、再生またはリプレー用の操作スイッチ群とを備えた撮像装置であって、前記表示部は、その中央部を通る中心線よりも若干上方に偏らせた位置に回転中心線が設けられ、前記ヒンジ部は、表示部の前記回転中心線上に設けられ、前記操作スイッチ群は、前記表示部を前記カメラ本体に納めた状態のときに、前記表示部で隠される範囲または前記表示部の収納領域の下方位置に設けられ、前記表示部を反転させて納めたときに、前記操作スイッチ群が露出して操作可能になる構成にしたことを特徴とする撮像装置を提供するものである。
【００１２】
本発明に係る撮像装置は、表示部を反転させて納めたときに、操作スイッチ群が操作し易い状態に露出するので、表示部の画面を見ながら選択的にスイッチ操作ができるようにしたものである。
【００１３】
【発明の実施の形態】
次に、本発明の実施の形態について詳しく説明する。なお、理解を容易にするため従来例と同一部分には同一符号を付して説明する。まず、図１〜２に示した実施の形態に係る撮像装置について説明すると、該撮像装置は、ハンディカム等のビデオカメラであって、カメラ本体１に対して液晶表示パネル２がヒンジ部３を介して開閉および回転自在に取り付けられ、その開閉角度がほぼ９０゜で、回転角度がほぼ２７０゜であること。そして、カメラ本体１には、レンズ筒４、ビューファインダー５及び再生またはリプレー用の巻き戻し、早送り、ストップスイッチ等の操作スイッチ群６等の必要な種々の機能が装備されていること、および、図示していないが、反対側の側面上部近傍には、電源スイッチ、撮影のためのオン・オフスイッチ、ズームスイッチ等の操作ボタン群が設けられている点等については、前記従来例のものと略同じである。
【００１４】
また、液晶表示パネル２については、カメラ本体１のレンズで捕らえた映像または画像、即ちビューファインダー５で見える画像をそのまま表示できるものであって、撮影中及び撮影後の画像も適宜表示できるものである。その表示に際しては、ヒンジ部３を支点として液晶表示パネル２をカメラ本体１から、ほぼ直角な状態まで開き、カメラ本体１の後端側からその映像を見ることができるし、また、ヒンジ部３を中心にしてほぼ２７０゜回転させることができるので、その回転の角度範囲においていずれの位置においても液晶表示パネル２に表示された画像を見ることができる点で、前記従来例と略同じである。
【００１５】
本発明においては、ヒンジ部３の形成位置とリプレー用の操作スイッチ群６の配設位置とが前記従来例のものと全く相違しているのである。
即ち、表示部となる液晶表示パネル２は、その中央部を通る中心線Ｘよりも若干上方に偏らせた位置に回転中心を設けるものであり、その回転中心線Ｃ上にヒンジ部３を形成したものである。
【００１６】
また、リプレー用の操作スイッチ群６については、液晶表示パネル２を閉じた状態、即ち、液晶表示パネル２をカメラ本体１に納めた状態のときに、該液晶表示パネル２で隠される範囲または収納領域の下方位置に操作スイッチ群６を配設したものである。
【００１７】
このように構成した撮像装置、即ち、ビデオカメラにおいて、撮影時にはビューファインダー５を覗きながら、または液晶表示パネル２を開いてその表示面の画像を見ながら撮影行為をすることができるものである。
【００１８】
そして、再生またはリプレーの際に、図２に示したように、表示面２ａを表側にして、つまり、反転させて液晶表示パネル２をカメラ本体１に納めた状態にすると、液晶表示パネル２の回転中心、即ち、ヒンジ部３の形成位置が上方に偏った位置に設けられているために、回転中心線Ｃで上下が１８０゜回転している液晶表示パネル２は、その偏った分だけカメラ本体１の上方に突出した状態に位置し、同時に液晶表示パネル２の収納領域７における下方位置が露出した状態になり、その下方位置に配設したリプレー用の操作スイッチ群６も露出した状態になる。
【００１９】
従って、露出した操作スイッチ群６は液晶表示パネル２の下部に位置することになり、再生またはリプレー操作において、表示面２ａを見ながら操作スイッチ群６を選択的に操作して巻き戻しまたは早送り等が行えるのである。
【００２０】
図３〜４に本発明の第１の比較例を示してある。この第１の比較例においても前記本発明の実施の形態と同様に、カメラ本体１に液晶表示パネル２がヒンジ部３を介して開閉および回転自在に取り付けられ、カメラ本体１には、レンズ筒４、ビューファインダー５及び再生またはリプレー用の操作スイッチ群６が装備されていること、および、図示していないが、反対側の側面上部近傍には、電源スイッチ、撮影のためのオン・オフスイッチ、ズームスイッチ等の操作ボタン群が設けられている点では同じである。
【００２１】
この第１の比較例においては、前記本発明の実施の形態における一部の構成、即ち、カメラ本体１に確保されている液晶表示パネル２の収納領域７をそのまま維持すると共に、その収納領域７の下方位置に操作スイッチ群６を配設した構成およびヒンジ部３の形成位置もそのまま維持するものである。
【００２２】
そして、ヒンジ部３に連設される液晶表示パネル２の大きさを確保されている設定された収納領域７よりも小さく形成したものであって、リプレー用の操作スイッチ群６が常に露出した状態になっているものである。この場合に、液晶表示パネル２の回転中心線Ｃが液晶表示パネル２の中央部を通る中心線Ｘよりも僅かに上方に位置するものであり、液晶表示パネル２の回転中心が僅かに上方に偏っているということができる。
【００２３】
このようにリプレー用の操作スイッチ群６が常に露出した状態であっても、液晶表示パネル２の表示面２ａを内側にして納めた状態のときには、操作スイッチ群６が液晶表示パネル２の下端縁と接近し過ぎていて、指先での操作がし難い状況にある。
【００２４】
ところが、図４に示したように、表示面２ａを表側にして、つまり、反転させて液晶表示パネル２を納めた状態にすると、液晶表示パネル２の回転中心線Ｃが液晶表示パネル２の中央部を通る中心線Ｘよりも僅かに上方に偏っていることから、その回転中心線Ｃで上下が１８０゜回転している液晶表示パネル２はその偏った分だけ上方部分がカメラ本体１の上方に突出し、同時に下方部分がその分上方に持ち上がった状態になり、下方の収納領域７の露出部分が広くなる。
【００２５】
従って、操作スイッチ群６と液晶表示パネル２の下端縁との間隔が広くなり、操作スイッチ群６を指先で操作することが容易になり、しかも、表示面２ａを見ながら巻き戻しまたは早送り等の再生またはリプレー操作をすることが簡単にできるのである。
【００２６】
次に、本発明の第２の比較例を図５〜６に示してある。この第２の比較例における特徴としては、リプレー用の操作スイッチ群６の配設構成を改良したものであって、それ以外の構成は、前記従来例のビデオカメラと略同じ構成を有するものである。
【００２７】
即ち、カメラ本体１に対して液晶表示パネル２がヒンジ部３を介して開閉および回転自在に取り付けられ、ヒンジ部３に対する回転中心は、液晶表示パネル２の中央部を通る中心線Ｘと一致する位置に設けられた構成になっている。
【００２８】
リプレー用の操作スイッチ群６は、液晶表示パネル２の収納領域内ではなく、液晶表示パネル２自体の下端面に配設してある。このように配設することで操作スイッチ群６は、実質的には露出した状態にあるが、通常の取り扱いでは見えにくい位置に存在し、操作し難い状態になっている。
【００２９】
そして、従来例の図８で示したように、表示面２ａを表側にして、つまり、反転させて液晶表示パネル２を納めたときに、図６に示したように、操作スイッチ群６が上面の見易くて操作し易い位置に来るのである。
【００３０】
いずれにしても本発明の撮像装置は、表示部である液晶表示パネル２を反転させてカメラ本体１側に納めたときに、操作スイッチ群６が見易い状態に露出し且つ操作し易い状態になるように構成したものである。
【００３１】
【発明の効果】
以上説明したように、本発明に係る撮像装置は、少なくともカメラ本体と、該カメラ本体に対しヒンジ部を介して開閉および回転自在に取り付けられた表示部と、再生またはリプレー用の操作スイッチ群とを備えた撮像装置であって、前記表示部は、その中央部を通る中心線よりも若干上方に偏らせた位置に回転中心線が設けられ、前記ヒンジ部は、表示部の前記回転中心線上に設けられ、前記操作スイッチ群は、前記表示部を前記カメラ本体に納めた状態のときに、前記表示部で隠される範囲または前記表示部の収納領域の下方位置に設けられ、前記表示部を反転させて納めたときに、前記操作スイッチ群が露出して操作可能になる構成にしたことにより、表示部の画面を見ながら操作スイッチ群を選択的に速やかに操作することができるという優れた効果を奏する。
【００３２】
また、上記撮像装置において、特に、従来隠される位置に設けられていた操作スイッチ群を、通常の取り扱いでは視認し難い表示部で隠される範囲または表示部の収納領域の下方位置に設けておき、反転させたときに、その操作スイッチ群が見易くて操作し易い上面側にくる構成にしたことによって、上記同様に表示部の画面を見ながら操作スイッチ群を選択的に速やかに操作することができるという優れた効果を奏する。
【図面の簡単な説明】
【図１】  本発明の実施の形態に係る撮像装置を示した側面図である。
【図２】  同撮像装置において表示部を反転して納めた状態の側面図である。
【図３】  本発明の第１の比較例に係る撮像装置を示した側面図である。
【図４】  同撮像装置において表示部を反転して納めた状態の側面図である。
【図５】  本発明の第２の比較例に係る撮像装置を示した上面図である。
【図６】  同撮像装置において表示部を反転して納めた状態の上面図である。
【図７】  従来例に係る撮像装置を示した側面図である。
【図８】  同従来例の撮像装置において表示部を反転して納めた状態の側面図である。
【符号の説明】
１ カメラ本体、  ２ 表示部である液晶表示パネル、  ２ａ 表示面、  ３ ヒンジ部、  ４ レンズ筒、  ５ ビューファインダー、  ６ 操作スイッチ群、  ７ 収納領域、  Ｃ 液晶表示パネルの回転中心線、  Ｘ 液晶表示パネルの中央部を通る中心線
【図１】
0004501050.tif 000002
【図２】
0004501050.tif 000003
【図３】
0004501050.tif 000004
【図４】
0004501050.tif 000005
【図５】
0004501050.tif 000006
【図６】
0004501050.tif 000007
【図７】
0004501050.tif 000008
【図８】
0004501050.tif 000009